(57)【要約】【課題】ケース部材内部でのキャパシタ素子の設置状態を安定化させて電気的機能性の向上および、キャパシタの高い信頼性を得ることにある。【解決手段】仕切り壁（１０）によって区画された２以上の収納室（１２）のそれぞれにキャパシタ素子が収納されるケース部材（４）と、収納室を封口する封口部材（封口体８）と、キャパシタ素子の素子外周に装着されて変形可能な絶縁弾性バンド（バンド部品２８、６０）とを備え、キャパシタ素子に装着された絶縁弾性バンドにより、電解液の含浸により膨潤したキャパシタ素子を中心方向に押圧させて、キャパシタ素子と収納室の内壁との間に空間（隙間５０、５２）を設ける。【選択図】    図１
2016192482.tif 000002
【特許請求の範囲】
【請求項１】
仕切り壁によって区画された２以上の収納室のそれぞれにキャパシタ素子が収納されるケース部材と、
前記収納室を封口する封口部材と、
前記キャパシタ素子の素子外周に装着されて変形可能な絶縁弾性バンドと、
を備え、
前記キャパシタ素子に装着された前記絶縁弾性バンドにより、電解液の含浸により膨潤した前記キャパシタ素子を中心方向に押圧させて、前記キャパシタ素子と前記収納室の内壁との間に空間を設けたことを特徴とするキャパシタ。
【請求項２】
前記絶縁弾性バンドは、前記キャパシタ素子の膨張に応じて拡開し、内径を変化させる拡開部を備えることを特徴とする、請求項１に記載のキャパシタ。
【請求項３】
前記収納室の断面積が封口部材に向かって漸次小さくなるように内壁が傾斜を有し、
前記絶縁弾性バンドの収納室と対向する部分が前記封口部材に向かって漸次外径が小さくなるように傾斜を有し、
前記絶縁弾性バンドの傾斜と収納室の内壁とが当接しながら前記絶縁弾性バンドを前記収納室に挿入することで前記キャパシタ素子を中心方向に押圧させたことを特徴とする請求項１または請求項２に記載のキャパシタ。
【発明の詳細な説明】
【技術分野】
【０００１】
本発明は、電気二重層キャパシタ、電解コンデンサなどのキャパシタの外装技術およびその製造技術に関する。
【背景技術】
【０００２】
電気二重層キャパシタ、電解コンデンサなどのキャパシタは電極箔の面積が静電容量を支配しており、小型のものから大型のものまで多種に亘っている。たとえば、ひとつのキャパシタで所望の大容量が得られない場合にはキャパシタの並列化によって実現できるし、ひとつのキャパシタの耐圧で不十分な場合にはキャパシタの直列化を行えばよいことが知られている。したがって、キャパシタの接続形態などで多様な用途に対応可能である。そして、複数のキャパシタを備えるモジュール化や、ひとつのケース内に複数の素子を備えた形態のものが提案され、実現化されている。
【０００３】
斯かるキャパシタに関し、複数のキャパシタ素子を備える電気二重層キャパシタおよびその製造方法が知られている（例えば、特許文献１）。
【先行技術文献】
【特許文献】
【０００４】
【特許文献１】特開２００２−３５３０７８号公報
【発明の概要】
【発明が解決しようとする課題】
【０００５】
ところで、キャパシタ素子を外装ケースに備えてモジュール化にした場合において、キャパシタ素子を外装ケースに挿入した後、電解液を注入するが、キャパシタ素子は電解液を吸収することで、膨張し、キャパシタ素子の外縁がケースの内壁と密着することがある。この場合、ケース内の空間率は減少し、発生したガスが溜まることができず、キャパシタの寿命特性に影響を与えることがある。また、電解液は、キャパシタ素子の上方から注液するが、キャパシタ素子とケースの内壁が密着することで、キャパシタ素子の底面側に電解液が届きにくく、作業が繁雑になるという課題がある。
【０００６】
また、キャパシタは大電流での充放電が可能であるが、素子を形成する分極性電極の活性炭層や電解液がもつ電気抵抗、部品同士の接触抵抗などの内部抵抗が生じる。これらの内部抵抗はキャパシタのエネルギ効率を低下させるため、内部抵抗を抑えることが求められる。この内部抵抗の増大の原因には、キャパシタ素子の状態変化、他の部品との接触などが含まれる。たとえば車載用のキャパシタでは、絶えず走行時の振動や発車、停車時の加速度による振動を受ける。キャパシタ素子がケース内で振動による影響を受けることで、内部抵抗が増大するおそれがあるという課題がある。
【０００７】
キャパシタは、外部から振動を受けてケース内部のキャパシタ素子が揺動すると、電極層、集電板、外部端子との接続部分などに大きな応力が作用する。そのため、繰り返しの振動に対してキャパシタ素子自体やケース、外部端子などとの接続部分に破断を生じさせないように、キャパシタ素子の高い保持性が要求される。
【０００８】
そこで、本発明の目的は上記課題に鑑み、ケース部材内部でのキャパシタ素子の設置状態を安定化させて電気的機能性の向上および、キャパシタの高い信頼性を得ることにある。
【課題を解決するための手段】
【０００９】
上記目的を達成するため、本発明キャパシタの一側面は、仕切り壁によって区画された２以上の収納室のそれぞれにキャパシタ素子が収納されるケース部材と、前記収納室を封口する封口部と、前記キャパシタ素子の素子外周に装着されて変形可能な絶縁弾性バンドとを備え、前記キャパシタ素子に装着された前記絶縁弾性バンドにより、電解液の含浸により膨潤した前記キャパシタ素子を中心方向に押圧させて、前記キャパシタ素子と前記収納室の内壁との間に空間を設ければよい。
【００１０】
上記キャパシタにおいて、前記絶縁弾性バンドは、前記キャパシタ素子の膨張に応じて拡開し、内径を変化させる拡開部を備えてもよい。
【００１１】
上記キャパシタにおいて、前記収納室の断面積が封口部材に向かって漸次小さくなるように内壁が傾斜を有し、前記絶縁弾性バンドの収納室と対向する部分が前記封口部材に向かって漸次外径が小さくなるように傾斜を有し、前記絶縁弾性バンドの傾斜と収納室の内壁とが当接しながら前記絶縁弾性バンドを前記収納室に挿入することで前記キャパシタ素子を中心方向に押圧させてもよい。
【発明の効果】
【００１２】
本発明によれば、次のいずれかの効果が得られる。
【００１３】
(1) 収納室とキャパシタ素子の間に隙間が維持されることで、収納室内の空間率が維持されるため発生したガスをためる許容空間が維持され、寿命特性が向上する。すなわち、キャパシタ素子と収納室との間に隙間が設けられることによって、空間率を確保でき、急激にガスが発生しても、ガスを溜めることができ、製品の寿命特性が向上する。
【００１４】
(2) 隙間により、キャパシタ素子の電解液の吸収率が向上する。すなわち、電解液はキャパシタ素子の封口体側から注液するが、このとき、キャパシタ素子の周囲の隙間によって、電解液がキャパシタ素子の底面側まで進入するため、キャパシタ素子全体に均一に電解液が含浸されやすくなる。
【００１５】
(3) 外部から受けた振動に対し、キャパシタ素子がケース内部において揺動するのを防止できる。
【００１６】
(4) ケース内部でキャパシタを揺動させないことで、キャパシタ素子の電極層やキャパシタ素子に接続する他の部品との間に破断を生じさせない。
【００１７】
(5) ケース内部においてキャパシタ素子の配置位置を維持させることができる。
【００１８】
(6) キャパシタ素子が振動によりケースの内壁などに接触するのを阻止して、キャパシタの内部抵抗の増加を防止できる。
【００１９】
(7) キャパシタ素子が一定の圧力で押圧され、キャパシタ素子の形状の安定化や内部抵抗の低減が図れる。
【図面の簡単な説明】
【００２０】
【図１】第１の実施の形態に係るキャパシタを示す分解図である。
【図２】ケース内のキャパシタ素子の一例を示す図である。
【図３】ケース内のキャパシタ素子の他の例を示す図である。
【発明を実施するための形態】
【００２１】
〔第１の実施の形態〕
【００２２】
図１は、第１の実施の形態に係るキャパシタの構成部品を分解して示している。このキャパシタ２は、本開示のキャパシタの一例であり、斯かる構成に限定されるものではない。
【００２３】
このキャパシタ２は、たとえば一面が開口した有底のケース部材４、キャパシタ素子６、ケース部材４の開口部分を封口する封口体８を備える。キャパシタ２は、ケース部材４内にキャパシタ素子６とともに、電解液が封入される。ケース部材４および封口体８は、キャパシタ２の外装ケースの一例であり、それぞれ絶縁性樹脂で形成される。
【００２４】
ケース部材４には、内部が仕切り壁１０で仕切られており、収納するキャパシタ素子６の数に応じた複数の収納室１２が形成され、収納室１２毎にキャパシタ素子６と電解液が収納される。
【００２５】
キャパシタ素子６はたとえば、電気二重層キャパシタ、電解コンデンサまたはハイブリッドキャパシタのいずれの素子であってもよい。キャパシタ素子６には一例として一対の分極性電極箔の間にセパレータを介して形成した積層素子であってもよいし、積層された分極性電極箔およびセパレータの巻回素子であってもよい。キャパシタ素子６には一例として素子端面の形状が扁平である柱状の素子が用いられる。
【００２６】
分極性電極箔としては、アルミニウム箔を集電極とし、そのアルミニウム箔の両面に活性炭層を形成して分極性電極箔としたものが用いられている。セパレータはたとえば、電解紙である。
【００２７】
キャパシタ素子６は、電極箔およびセパレータが巻回された胴体部に対し、その外周部分に沿ってバンド部品２８が装着されている。バンド部品２８は、本発明の絶縁弾性バンドの一例であり、絶縁性の樹脂で形成されており、キャパシタ素子６の巻回方向に沿って外周側を包囲している。すなわち、キャパシタ素子６は、バンド部品２８の弾性力によって巻回中心方向に拘束状態となっている。そして、キャパシタ素子６は、外周部分にバンド部品２８を装着した状態でケース部材４の収納室１２に収納される。このバンド部品２８は、キャパシタ素子６の周縁方向に変形可能である。
【００２８】
キャパシタ素子６の素子端面には陽極側または陰極側の電極箔の縁部を露出させ、平坦に成形して陽極側の電極部３０、陰極側の電極部３２が形成されており、この陽極側の電極部３０には陽極側の集電板２０がレーザ溶接部１１によって接続され、陰極側の電極部３２には陰極側の集電板２２がレーザ溶接部１１によって接続されている。この集電板２０、２２にはその一部を屈曲させて、封口体８に埋設されたバスバー４０と接続するバスバー接続部２４、２６が形成されている。この例ではバスバー接続部２４、２６をバスバー４０側に向かってたとえば、直立状態で突出させ、バスバー４０の貫通孔に貫通させ、バスバー４０とバスバー接続部２４、２６の接触部近傍をレーザ溶接で接続している。
【００２９】
封口体８は、本発明の封口部材の一例であり、ケース部材４の開口部に対して封口面部を係合することで、収納室１２を密封する。またこの封口体８には、たとえばキャパシタ素子６を連結させるバスバー４０がインサート成形により樹脂と一体化されている。バスバー４０は導電性を有する金属部材であり、バスバー４０以外の封口体８はたとえば、ポリプロピレンやポリフェニレンサルファイドなどの熱可塑性樹脂で形成される。インサート成形には、バスバー４０と樹脂との結合力を高めるために、エッチング処理、カップリング剤による化学処理、レーザ処理などの表面処理を行ったバスバー４０を用いてもよい。キャパシタ２は、バスバー４０が、それぞれ設定された陽極側の集電板２０、および陰極側の集電板２２と接続することで、キャパシタ素子６を連結して機能させる。
【００３０】
そのほか、封口体８には、収納室１２内に発生するガスを外部に排出させる通気孔３４が形成される。通気孔３４には、たとえば収納室１２内の電解液を漏液させない手段として、気液分離体などが設置されてもよい。そのほか封口体８には、各収納室１２の位置に合せて電解液注入孔３５が形成される。この電解液注入孔３５は、たとえばキャパシタ組立て処理において、電解液を注入したのち、図示しない封止手段により封止すればよい。
【００３１】
キャパシタ２は、図２に示すように、ケース部材４に封口体８が設置されることで、収納室１２が外部から遮断される。ケース部材４と封口体８との接続部分は、たとえば外装側から一定の範囲で溶接される。また、封口体８は、外装側に気密性の樹脂性のシート部材などを貼付し、集電板２０、２２とバスバー４０との接合部分や通気孔３４を外気から遮断してもよい。
【００３２】
＜キャパシタの組立工程＞
【００３３】
キャパシタ２の組立工程には、封口体８をケース部材４に溶着させる工程（Ｓ１）と、各集電板２０、２２とバスバー４０を接続する工程（Ｓ２）と、電解液を注入する工程（Ｓ３）が含まれる。
【００３４】
封口体８をケース部材４に溶着させる工程（Ｓ１）では、封口体８がケース部材４に重ねられ、封口体８とケース部材４の接触部が加熱される。この加熱により封口体８とケース部材４の接触部の樹脂を溶かし、一体化する。このような加熱は、封口体８とケース部材４の接触部の全周に渡り行う。
【００３５】
各集電板２０、２２とバスバー４０を接続する工程（Ｓ２）では、封口体８の外側から、バスバー４０とバスバー接続部２４、２６との当接部分にレーザ照射して、バスバー４０とバスバー接続部２４、２６を溶接する。バスバー４０とバスバー接続部２４、２６との接続は例えば、バスバー４０に形成された貫通孔にバスバー接続部２４、２６を嵌入し、バスバー４０の貫通孔とバスバー接続部２４、２６の境界部にレーザを照射して、貫通孔とバスバー接続部２４、２６を溶接する。
【００３６】
電解液を注入する工程（Ｓ３）では、電解液を封口体８の電解液注入孔３５から収納室１２に注入し、収納室１２に収納しているキャパシタ素子６を含浸させる。
【００３７】
図２は、ケース部材内部のキャパシタ素子の設置状態例を示している。
【００３８】
ケース部材４の収納室１２には、バンド部品２８が装着されたキャパシタ素子６が挿入されている。キャパシタ素子６は、バスバー４０と集電板２０、２２との一体化により収納室１２内の所定高さに保持される。
【００３９】
バンド部品２８は、たとえばキャパシタ素子６に装着されたときの巻回方向への幅が、収納室１２の開口幅と同等に設定されている。これによりキャパシタ素子６は、たとえば収納室１２を形成するケース部材４の内壁や仕切り壁１０に沿って、設定された深さまで挿入される。
【００４０】
このようにキャパシタ２では、バンド部品２８の外周面をキャパシタ素子６の外幅よりも広くすることで、キャパシタ素子６を収納室１２内部に接触させないように挿入される。
【００４１】
各収納室１２に電解液が注入されると、キャパシタ素子６が吸液して一定量膨張することで、キャパシタ素子６の外周部分と接触する収納室１２の壁面に対して膨出力が作用する。このとき、バンド部品２８は、収納室１２の壁面から膨出力に対する反力を受けており、壁面との接触強度が維持される。すなわち、バンド部品２８は、たとえば外部からの振動などに対して、その振動を吸収し、ケース内部の壁面との間でキャパシタ素子６を弾性保持する。
【００４２】
またキャパシタ素子６は、電解液を吸液することでそれぞれ膨張状態となるが、バンド部品２８の保持幅が設定されることで、バンド部品２８からの押圧によりキャパシタ素子６の外径寸法は一定に維持される。また、キャパシタ素子６は、膨張に対してバンド部品２８により素子中心方向に向けて押圧状態となる。この押圧力は、バンド部品２８によりキャパシタ素子６を保持する力である。
【００４３】
このとき収納室１２には、たとえばキャパシタ素子６の胴体部分と仕切り壁１０、またはケース部材４の壁面との間に、隙間５０が維持される。またキャパシタ素子６の底面側には、収納室１２の底面に対して所定高さの隙間５２が維持される。
【００４４】
＜第１の実施の形態の効果＞
【００４５】
(1) 収納室１２内部において、キャパシタ素子６の周囲に隙間５０、５２が維持されることで、発生したガスを効率良く封口体８側に導くことができ、収納室１２の内部の圧力が過大となるのを防止できる。
【００４６】
(2) また、隙間５０、５２が維持されることで、収納室内の空間率が維持されるため発生したガスを溜める許容空間が維持され、寿命特性が向上する。すなわち、キャパシタ素子６が電解液を吸収して膨張しても、バンド部品２８によって、キャパシタ素子６と収納室１２との間に隙間５０が設けられることによって、空間率を確保でき、急激にガスが発生しても、ガスを溜めることができ、製品の寿命特性が向上する。
【００４７】
(3) さらに、隙間５０、５２により、キャパシタ素子６の電解液の吸収率が向上する。すなわち、電解液はキャパシタ素子６の封口体８側から注液するが、このとき、キャパシタ素子６の周囲の隙間５０によって、電解液がキャパシタ素子６の底面側まで進入するため、キャパシタ素子６全体に均一に電解液が含浸されやすくなる。
【００４８】
(4) バンド部品２８により膨張したキャパシタ素子６を素子中心方向に保持し、外径を保持させることができる。
【００４９】
(5) キャパシタ素子６は、バンド部品２８によって素子中心方向に押圧される。電極箔に用いられる活性炭は多孔質体で弾力性を有する。この活性炭に圧力を加えられると、多孔質体の内部で活性炭同士の接触頻度が増し、活性炭の内部での伝導経路が増大するために、全体としての電気抵抗を減少させることができる。
【００５０】
(6) キャパシタ素子６は、バンド部品２８により収納室１２内に強固に保持することができ、外部からの振動に対して変形や配置位置の変化を生じさせない。
【００５１】
(7) キャパシタ２では、連結するキャパシタ素子６同士で内部抵抗のばらつきを生じさせず、設定された電気的特性を発揮させることができる。
【００５２】
(8) バンド部品２８が収納室１２に接触して保持され、キャパシタ素子６をケース内部で独立して振動させないので、キャパシタ素子６と接続して支持する集電板２０、２２やバスバー接続部２４、２６に過大な負荷がかかるのを防止できる。
【００５３】
(9) ケース内部でキャパシタ素子６を揺動させないことで、キャパシタ素子の電極層やキャパシタ素子６に接続する他の部品との間に破断を生じさせない。
【００５４】
〔第２の実施の形態〕
【００５５】
図３は、ケース内に収納されるキャパシタ素子の他の例を示している。図３に示す構成は一例である。
【００５６】
このバンド部品６０は、たとえば図３に示すように、キャパシタ素子６の外周に沿って形成されており、その一面部分を破断させ、この破断部分がキャパシタ素子６の周面に沿って拡開可能な拡開部６２が形成されている。拡開部６２は、たとえばキャパシタ素子６の電解液の吸収による膨張に応じてバンド部品６０の内径を変化させたり、収納室１２に収納する際にキャパシタ素子６の中心方向に働く押圧する力に応じてバンド部品６０を変形させる。
【００５７】
拡開部６２は、キャパシタ素子６の膨張に応じて拡開することで、キャパシタ素子６の素子中心に対する押圧力を調整する機能を発揮する。すなわち、キャパシタ素子６の巻回時に負荷する張力や材質の状態などによる電解液の吸収率、膨張率の違いに対し、拡開部６２の拡開量に応じて、キャパシタ素子６に対する押圧力を調整する。
【００５８】
拡開部６２の幅は、たとえばキャパシタ素子６の材質や収納室１２の幅、バンド部品６０の弾性力などに応じて設定すればよい。
【００５９】
＜第２の実施の形態の効果＞
【００６０】
(1) 拡開部６２を形成することで、キャパシタ素子６に対する押圧力の調整を行うことができる。
【００６１】
(2) 拡開部６２は、たとえばキャパシタ２が振動した場合、バンド部品６０の弾性力とともに、拡開部６２の拡大、縮小によるスプリング効果を発揮し、収納室１２内におけるキャパシタ素子６の振動を防止または減衰させることができる。
【００６２】
(3) 拡開部６２の開口量を調整することで、収納室１２に対するキャパシタ素子６の挿入作業が容易になり、キャパシタの組立工程の効率向上が図れる。
【００６３】
(4) キャパシタ素子６は、バンド部品６０により収納室１２内に強固に保持することができ、外部からの振動に対して変形や配置位置の変化を生じさせない。
【００６４】
(5) キャパシタ２は、連結するキャパシタ素子６毎に、拡開部６２によってバンド部品６０による押圧力が調整でき、キャパシタ素子６同士で内部抵抗のばらつきを生じさせず、設定された電気的特性を発揮させることができる。
【００６５】
(6) 収納室内部において、キャパシタ素子６の周囲に隙間５０、５２が維持されることで、発生したガスを効率良く封口体８側に導くことができ、収納室内部の圧力が過大となるのを防止できる。
【００６６】
(7) 拡開部６２である破断部分は、バンド部６０を挟んで上下にある空間をつなげ、ガスや電解液が移動する経路となる。そのため、キャパシタ素子６の底面側で発生したガスは素早くキャパシタ素子６の上方に移動し、封口体８に形成した通気孔３４を通して外部に排出される収納室１２内にガスが溜まり難い構造となる、また、電解液をキャパシタ素子６の上方から注入した際には、拡開部６２である破断部分から電解液がキャパシタ素子６の底面側に移動しやすくなるため、よりキャパシタ素子６の含浸性が向上する。
【００６７】
〔他の実施の形態〕
【００６８】
(a) 上記実施の形態では、キャパシタ素子６に対して１つのバンド部品２８、６０を装着させる場合を示したがこれに限られない。バンド部品２８、６０は、キャパシタ素子６に対して複数装着させてもよい。バンド部品２８、６０の装着数は、たとえばキャパシタ素子６の長辺側の長さ、バンド部品の幅に応じて装着数を調整してもよい。また、キャパシタ素子６に対するバンド部品２８、６０の設置位置や、キャパシタ２の全体重量に応じて装着数を設定してもよい。
【００６９】
(b) 上記実施の形態では、バンド部品２８、６０をキャパシタ素子６の底面側に近い位置に装着させる場合を示したがこれに限られない。バンド部品２８、６０は、たとえばキャパシタ素子６の中央部分または上部側に配置してもよい。
【００７０】
(c) 上記実施の形態では、バンド部品６０の拡開部６２がキャパシタ素子６の外周方向に沿った一面部分を破断させた場合を示したがこれに限られない。バンド部品６０は、たとえば拡開部６２として、バンド部品６０の平面部分の一部に開口部または脆弱部分を形成してもよい。この開口部は、たとえば網目状、またはその他の形状であり、バンド部品６０の一部に適度な伸縮性を備えればよい。これらの開口部または脆弱部分が伸縮して拡開することで、キャパシタ素子６に対する押圧力の調整を行うことができる。
【００７１】
(c) バンド部品２８、６０は、収納室１２と対向する部分を傾斜面としてもよく、また、収納室１２は内壁を傾斜面としてもよい。すなわち、バンド部品２８、６０は、収納室１２と対向する部分として、たとえば外周面をキャパシタ素子６の上方から底面方向に向けて外径が小さくなるように傾斜面としてもよい。一方、収納室１２の内壁は、収納室１２の開口側、すなわち、収納室１２の封口体８が配置される側に向かって収納室１２の断面積が漸次大きくなるように形成する。バンド部材２８、６０は、収納室１２の内壁の傾斜面により、バンド部材２８を装着したキャパシタ素子６を収納室１２に挿入するにつれて、バンド部材２８、６０がキャパシタ素子２を中心方向に押圧するように変形し、徐々にキャパシタ素子６の外周面に向かって収縮し、キャパシタ素子６締め付ける。そして、傾斜面同士が接触し、両者の摩擦によりバンド部品２８、６０が収納室１２の内壁面に保持され、収納室１２とキャパシタ素子６との間に隙間が形成される。このような構造により、よりキャパシタ６に対する固定力が向上する。
【００７２】
(d) 上記実施の形態では、扁平型のキャパシタ素子を用いたが、円筒型のキャパシタ素子や六面体のキャパシタ素子など他の形状のキャパシタ素子であってもよい。
【００７３】
(e) 上記実施の形態では、キャパシタ素子として電気二重層コンデンサを用いたが、これに限らず、同一の構造及び方法は、電解コンデンサやハイブリッドキャパシタにも同様に適用でき、同様の効果が得られる。
【００７４】
以上説明したように、キャパシタの最も好ましい実施形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【００７５】
本発明によれば、ケース部材の収納室におけるキャパシタ素子の振動を阻止または抑制でき、内部抵抗の低下やキャパシタ素子の支持強度の低下を防止することができ、キャパシタの性能の安定性確保による信頼性を発揮でき、有用である。
【符号の説明】
【００７６】
２  キャパシタ
４  ケース部材
６  キャパシタ素子
８  封口体
１０  仕切り壁
１１  レーザー溶接部
１２  収納室
１４  封止部
２０、２２  集電板
２４、２６  接続端子
２８、６０  バンド部品
３０、３２  電極部
３５  電解液注入孔
４０  バスバー
５０、５２  隙間
６２  拡開部
【図１】
2016192482.tif 000003
【図２】
2016192482.tif 000004
【図３】
2016192482.tif 000005